【手続補正書】
【提出日】平成20年9月22日(2008.9.22)
【手続補正１】
【補正対象書類名】特許請求の範囲
【補正対象項目名】全文
【補正方法】変更
【補正の内容】
【特許請求の範囲】
【請求項１】
マトリクス状に配置された複数の画素と、前記複数の画素にビデオ信号を入力する複数のソース信号線と、前記複数のソース信号線各々に信号を出力するソースドライバとを有し、
前記ソースドライバは、シフトレジスタと、ビデオ信号が入力される映像信号入力線とを有し、
前記複数の画素の１行に対応する前記ビデオ信号において全ての画素に対応する信号が等しいか否かを判断し、
前記複数の画素の１行に対応する前記ビデオ信号において少なくとも２つの画素に対応する信号が互いに異なる場合に、前記シフトレジスタから出力されるサンプリングパルスに同期して、前記映像信号入力線に入力されたビデオ信号を前記複数のソース信号線に順に出力し、
前記複数の画素の１行に対応する前記ビデオ信号において全ての画素に対応する信号が等しい場合に、前記シフトレジスタへのスタートパルスの入力を停止し、且つ前記映像信号入力線に入力されたビデオ信号を前記複数のソース信号線全てに同時に出力することを特徴とする表示装置の駆動方法。
【請求項２】
マトリクス状に配置された複数の画素と、前記複数の画素にビデオ信号を入力する複数のソース信号線と、前記複数のソース信号線各々に信号を出力するソースドライバとを有し、
前記ソースドライバは、シフトレジスタと、ビデオ信号が入力される映像信号入力線とを有し、
前記複数の画素の１行に対応する前記ビデオ信号において全ての画素に対応する信号が等しいか否かを判断し、
前記複数の画素の１行に対応する前記ビデオ信号において少なくとも２つの画素に対応する信号が互いに異なる場合に、前記シフトレジスタから出力されるサンプリングパルスに同期して、前記映像信号入力線に入力されたビデオ信号を前記複数のソース信号線に順に出力し、
前記複数の画素の１行に対応する前記ビデオ信号において全ての画素に対応する信号が等しい場合に、前記シフトレジスタへのスタートパルス及びクロックパルスの入力を停止し、且つ前記映像信号入力線に入力されたビデオ信号を前記複数のソース信号線全てに同時に出力することを特徴とする表示装置の駆動方法。
【請求項３】
マトリクス状に配置された複数の画素と、前記複数の画素にビデオ信号を入力する複数のソース信号線と、前記複数のソース信号線各々に信号を出力するソースドライバとを有し、
前記ソースドライバは、シフトレジスタと、デジタルビデオ信号が入力される複数の映像信号入力線と、複数の第１のラッチ回路と、ラッチパルスが入力されると前記複数の第１のラッチ回路各々の出力信号が入力される複数の第２のラッチ回路と、前記複数の第２のラッチ回路各々の出力信号が入力される複数のＤ／Ａ変換回路とを有し、
前記複数の画素の１行に対応する前記デジタルビデオ信号において全ての画素に対応する信号が等しいか否かを判断し、
前記複数の画素の１行に対応する前記デジタルビデオ信号において少なくとも２つの画素に対応する信号が互いに異なる場合に、前記シフトレジスタから出力されるサンプリングパルスに同期して、前記複数の映像信号入力線に入力されたデジタルビデオ信号を前記複数の第１のラッチ回路に順に出力し、
前記複数の画素の１行に対応する前記デジタルビデオ信号において全ての画素に対応する信号が等しい場合に、前記シフトレジスタへのスタートパルスの入力を停止し、且つ前記複数の映像信号入力線に入力されたデジタルビデオ信号を前記複数の第１のラッチ回路全てに同時に出力することを特徴とする表示装置の駆動方法。
【請求項４】
マトリクス状に配置された複数の画素と、前記複数の画素にビデオ信号を入力する複数のソース信号線と、前記複数のソース信号線各々に信号を出力するソースドライバとを有し、
前記ソースドライバは、シフトレジスタと、デジタルビデオ信号が入力される複数の映像信号入力線と、複数の第１のラッチ回路と、ラッチパルスが入力されると前記複数の第１のラッチ回路各々の出力信号が入力される複数の第２のラッチ回路と、前記複数の第２のラッチ回路各々の出力信号が入力される複数のＤ／Ａ変換回路とを有し、
前記複数の画素の１行に対応する前記デジタルビデオ信号において全ての画素に対応する信号が等しいか否かを判断し、
前記複数の画素の１行に対応する前記デジタルビデオ信号において少なくとも２つの画素に対応する信号が互いに異なる場合に、前記シフトレジスタから出力されるサンプリングパルスに同期して、前記複数の映像信号入力線に入力されたデジタルビデオ信号を前記複数の第１のラッチ回路に順に出力し、
前記複数の画素の１行に対応する前記デジタルビデオ信号において全ての画素に対応する信号が等しい場合に、前記シフトレジスタへのスタートパルス及びクロックパルスの入力を停止し、且つ前記複数の映像信号入力線に入力されたデジタルビデオ信号を前記複数の第１のラッチ回路全てに同時に出力することを特徴とする表示装置の駆動方法。
【請求項５】
マトリクス状に配置された複数の画素と、前記複数の画素にビデオ信号を入力する複数のソース信号線と、前記複数のソース信号線各々に信号を出力するソースドライバとを有し、
前記ソースドライバは、シフトレジスタと、ビデオ信号が入力される映像信号入力線とを有し、
前記複数の画素の１行に対応する前記ビデオ信号において全ての画素に対応する信号が等しいか否かを判断し、
前記複数の画素の１行に対応する前記ビデオ信号において少なくとも２つの画素に対応する信号が互いに異なる場合に、前記シフトレジスタから出力されるサンプリングパルスに同期して、前記映像信号入力線に入力されたビデオ信号を前記複数のソース信号線に出力し、
前記複数の画素の１行に対応する前記ビデオ信号において全ての画素に対応する信号が等しい場合に、前記シフトレジスタへのスタートパルスの入力を停止し、且つ出力信号線に入力された所定の信号を前記複数のソース信号線全てに同時に出力することを特徴とする表示装置の駆動方法。
【請求項６】
マトリクス状に配置された複数の画素と、前記複数の画素にビデオ信号を入力する複数のソース信号線と、前記複数のソース信号線各々に信号を出力するソースドライバとを有し、
前記ソースドライバは、シフトレジスタと、ビデオ信号が入力される映像信号入力線とを有し、
前記複数の画素の１行に対応する前記ビデオ信号において全ての画素に対応する信号が等しいか否かを判断し、
前記複数の画素の１行に対応する前記ビデオ信号において少なくとも２つの画素に対応する信号が互いに異なる場合に、前記シフトレジスタから出力されるサンプリングパルスに同期して、前記映像信号入力線に入力されたビデオ信号を前記複数のソース信号線に出力し、
前記複数の画素の１行に対応する前記ビデオ信号において全ての画素に対応する信号が等しい場合に、前記シフトレジスタへのスタートパルス及びクロックパルスの入力を停止し、且つ出力信号線に入力された所定の信号を前記複数のソース信号線全てに同時に出力することを特徴とする表示装置の駆動方法。
【請求項７】
マトリクス状に配置された複数の画素と、前記複数の画素にビデオ信号を入力する複数のソース信号線と、前記複数のソース信号線各々に信号を出力するソースドライバと、制御信号を出力し且つ前記ソースドライバにスタートパルスを入力するか否かを制御する制御回路とを有し、
前記ソースドライバは、シフトレジスタと、ビデオ信号が入力される映像信号入力線と、複数の第１のスイッチと、第２のスイッチと、複数の第３のスイッチと、所定の電位に保たれた電源端子とを有し、
前記複数の第３のスイッチ各々は制御端子を有し、当該制御端子に入力される信号に応じてオンまたはオフとなり、
前記複数の第３のスイッチ各々の制御端子は、前記複数の第１のスイッチのうちの互いに異なる第１のスイッチを介して前記シフトレジスタの出力端子と接続され、且つ前記第２のスイッチを介して前記電源端子と接続され、
前記映像信号入力線は、前記複数の第３のスイッチのうちの互いに異なる第３のスイッチを介して、前記複数のソース信号線のうちの互いに異なるソース信号線と接続され、
前記複数の第１のスイッチ及び前記第２のスイッチは、前記ソースドライバに入力される制御信号によってオンまたはオフが選択され、前記複数の第１のスイッチと前記第２のスイッチの一方がオンのとき他方はオフであり、
前記制御回路は、前記複数の画素の１行に対応する前記ビデオ信号において全ての画素に対応する信号が等しいか否かを判断する判定回路を有し、前記複数の画素の１行に対応する前記ビデオ信号において全ての画素に対応する信号が等しい場合に、前記シフトレジスタへのスタートパルスの入力を停止し、且つ前記第２のスイッチがオンとなるような前記制御信号を出力することを特徴とする表示装置。
【請求項８】
マトリクス状に配置された複数の画素と、前記複数の画素にビデオ信号を入力する複数のソース信号線と、前記複数のソース信号線各々に信号を出力するソースドライバと、制御信号を出力し且つ前記ソースドライバにスタートパルス及びクロックパルスを入力するか否かを制御する制御回路とを有し、
前記ソースドライバは、シフトレジスタと、ビデオ信号が入力される映像信号入力線と、複数の第１のスイッチと、第２のスイッチと、複数の第３のスイッチと、所定の電位に保たれた電源端子とを有し、
前記複数の第３のスイッチ各々は制御端子を有し、当該制御端子に入力される信号に応じてオンまたはオフとなり、
前記複数の第３のスイッチ各々の制御端子は、前記複数の第１のスイッチのうちの互いに異なる第１のスイッチを介して前記シフトレジスタの出力端子と接続され、且つ前記第２のスイッチを介して前記電源端子と接続され、
前記映像信号入力線は、前記複数の第３のスイッチのうちの互いに異なる第３のスイッチを介して、前記複数のソース信号線のうちの互いに異なるソース信号線と接続され、
前記複数の第１のスイッチ及び前記第２のスイッチは、前記ソースドライバに入力される制御信号によってオンまたはオフが選択され、前記複数の第１のスイッチと前記第２のスイッチの一方がオンのとき他方はオフであり、
前記制御回路は、前記複数の画素の１行に対応する前記ビデオ信号において全ての画素に対応する信号が等しいか否かを判断する判定回路を有し、前記複数の画素の１行に対応する前記ビデオ信号において全ての画素に対応する信号が等しい場合に、前記シフトレジスタへのスタートパルス及びクロックパルスの入力を停止し、且つ前記第２のスイッチがオンとなるような前記制御信号を出力することを特徴とする表示装置。
【請求項９】
請求項７または請求項８において、
前記複数の第１のスイッチ各々及び前記第２のスイッチはデジタルのスイッチであり、前記複数の第３のスイッチ各々はアナログのスイッチであることを特徴とする表示装置。
【請求項１０】
マトリクス状に配置された複数の画素と、前記複数の画素にビデオ信号を入力する複数のソース信号線と、前記複数のソース信号線各々に信号を出力するソースドライバと、前記ソースドライバにスタートパルスを入力するか否かを制御する制御回路とを有し、
前記ソースドライバは、シフトレジスタと、デジタルビデオ信号が入力される複数の映像信号入力線と、複数の第１のスイッチと、第２のスイッチと、所定の電位に保たれた電源端子と、複数の第１のラッチ回路と、複数の第２のラッチ回路と、複数のＤ／Ａ変換回路とを有し、
前記複数の第１のラッチ回路各々は制御端子を有し、前記複数の第１のラッチ回路各々の入力端子は当該制御端子に入力される信号に応じて前記複数の映像信号入力線と接続を選択され、
前記複数の第１のラッチ回路各々の制御端子は、前記複数の第１のスイッチのうちの互いに異なる第１のスイッチを介して前記シフトレジスタの出力端子と接続され、且つ前記第２のスイッチを介して前記電源端子と接続され、
前記複数の第１のラッチ回路のうちの互いに異なる第１のラッチ回路の出力端子は、ラッチパルスが入力されると前記複数の第２のラッチ回路のうちの互いに異なる第２のラッチ回路の入力端子と接続され、
前記複数の第２のラッチ回路のうちの互いに異なる第２のラッチ回路の出力端子は、前記複数のＤ／Ａ変換回路のうちの互いに異なるＤ／Ａ変換回路の入力端子と接続され、
前記複数のＤ／Ａ変換回路のうちの互いに異なるＤ／Ａ変換回路の出力端子は、前記複数のソース信号線のうちの互いに異なるソース信号線と接続され、
前記複数の第１のスイッチ及び前記第２のスイッチは、前記ソースドライバに入力される制御信号によってオンまたはオフが選択され、前記複数の第１のスイッチと前記第２のスイッチの一方がオンのとき他方はオフであり、
前記制御回路は、前記複数の画素の１行に対応する前記デジタルビデオ信号において全ての画素に対応する信号が等しいか否かを判断する判定回路を有し、前記複数の画素の１行に対応する前記デジタルビデオ信号において全ての画素に対応する信号が等しい場合に、前記シフトレジスタへのスタートパルスの入力を停止し、且つ前記第２のスイッチがオンとなるような前記制御信号を出力することを特徴とする表示装置。
【請求項１１】
マトリクス状に配置された複数の画素と、前記複数の画素にビデオ信号を入力する複数のソース信号線と、前記複数のソース信号線各々に信号を出力するソースドライバと、前記ソースドライバにスタートパルス及びクロックパルスを入力するか否かを制御する制御回路とを有し、
前記ソースドライバは、シフトレジスタと、デジタルビデオ信号が入力される複数の映像信号入力線と、複数の第１のスイッチと、第２のスイッチと、所定の電位に保たれた電源端子と、複数の第１のラッチ回路と、複数の第２のラッチ回路と、複数のＤ／Ａ変換回路とを有し、
前記複数の第１のラッチ回路各々は制御端子を有し、前記複数の第１のラッチ回路各々の入力端子は当該制御端子に入力される信号に応じて前記複数の映像信号入力線と接続を選択され、
前記複数の第１のラッチ回路各々の制御端子は、前記複数の第１のスイッチのうちの互いに異なる第１のスイッチを介して前記シフトレジスタの出力端子と接続され、且つ前記第２のスイッチを介して前記電源端子と接続され、
前記複数の第１のラッチ回路のうちの互いに異なる第１のラッチ回路の出力端子は、ラッチパルスが入力されると前記複数の第２のラッチ回路のうちの互いに異なる第２のラッチ回路の入力端子と接続され、
前記複数の第２のラッチ回路のうちの互いに異なる第２のラッチ回路の出力端子は、前記複数のＤ／Ａ変換回路のうちの互いに異なるＤ／Ａ変換回路の入力端子と接続され、
前記複数のＤ／Ａ変換回路のうちの互いに異なるＤ／Ａ変換回路の出力端子は、前記複数のソース信号線のうちの互いに異なるソース信号線と接続され、
前記複数の第１のスイッチ及び前記第２のスイッチは、前記ソースドライバに入力される制御信号によってオンまたはオフが選択され、前記複数の第１のスイッチと前記第２のスイッチの一方がオンのとき他方はオフであり、
前記制御回路は、前記複数の画素の１行に対応する前記デジタルビデオ信号において全ての画素に対応する信号が等しいか否かを判断する判定回路を有し、前記複数の画素の１行に対応する前記デジタルビデオ信号において全ての画素に対応する信号が等しい場合に、前記シフトレジスタへのスタートパルス及びクロックパルスの入力を停止し、且つ前記第２のスイッチがオンとなるような前記制御信号を出力することを特徴とする表示装置。
【請求項１２】
マトリクス状に配置された複数の画素と、前記複数の画素にビデオ信号を入力する複数のソース信号線と、前記複数のソース信号線各々にビデオ信号を出力するソースドライバと、前記ソースドライバにスタートパルスを入力するか否かを制御する制御回路と、複数の第１のスイッチと、第２のスイッチと、所定の電位に保たれた出力信号線とを有し、
前記複数のソース信号線各々は、前記複数の第１のスイッチのうちの互いに異なる第１のスイッチを介して前記ソースドライバの出力端子と接続され、且つ前記第２のスイッチを介して前記出力信号線と接続され、
前記複数の第１のスイッチ及び前記第２のスイッチは、制御信号によってオンまたはオフが選択され、前記複数の第１のスイッチと前記第２のスイッチの一方がオンのとき他方はオフであり、
前記制御回路は、前記複数の画素の１行に対応する前記ビデオ信号において全ての画素に対応する信号が等しいか否かを判断する判定回路を有し、前記複数の画素の１行に対応する前記ビデオ信号において全ての画素に対応する信号が等しい場合に、前記シフトレジスタへのスタートパルスの入力を停止し、且つ前記第２のスイッチがオンとなるような前記制御信号を出力することを特徴とする表示装置。
【請求項１３】
マトリクス状に配置された複数の画素と、前記複数の画素にビデオ信号を入力する複数のソース信号線と、前記複数のソース信号線各々にビデオ信号を出力するソースドライバと、前記ソースドライバにスタートパルス及びクロックパルスを入力するか否かを制御する制御回路と、複数の第１のスイッチと、第２のスイッチと、所定の電位に保たれた出力信号線とを有し、
前記複数のソース信号線各々は、前記複数の第１のスイッチのうちの互いに異なる第１のスイッチを介して前記ソースドライバの出力端子と接続され、且つ前記第２のスイッチを介して前記出力信号線と接続され、
前記複数の第１のスイッチ及び前記第２のスイッチは、制御信号によってオンまたはオフが選択され、前記複数の第１のスイッチと前記第２のスイッチの一方がオンのとき他方はオフであり、
前記制御回路は、前記複数の画素の１行に対応する前記ビデオ信号において全ての画素に対応する信号が等しいか否かを判断する判定回路を有し、前記複数の画素の１行に対応する前記ビデオ信号において全ての画素に対応する信号が等しい場合に、前記シフトレジスタへのスタートパルス及びクロックパルスの入力を停止し、且つ前記第２のスイッチがオンとなるような前記制御信号を出力することを特徴とする表示装置。
【請求項１４】
請求項１２または請求項１３において、
前記複数の第１のスイッチ各々及び前記第２のスイッチはアナログのスイッチであることを特徴とする表示装置。
【請求項１５】
請求項７乃至請求項１４のいずれか一において、
前記複数の画素各々は表示媒体として発光素子を有していることを特徴とする表示装置。
【請求項１６】
請求項７乃至請求項１４のいずれか一において、
前記複数の画素各々は表示媒体としてＥＬ素子を有していることを特徴とする表示装置。
【請求項１７】
請求項７乃至請求項１４のいずれか一において、
前記複数の画素各々は表示媒体として液晶素子を有していることを特徴とする表示装置。
【請求項１８】
請求項７乃至請求項１７のいずれか一において、
前記複数の画素各々はスイッチング素子を有していることを特徴とする表示装置。
【請求項１９】
請求項７乃至請求項１８のいずれか一において、
前記表示装置を用いたことを特徴とする表示モジュール。
【請求項２０】
請求項１９において、
前記表示モジュールを用いたことを特徴とする電子機器。